(57)【要約】【課題】記録媒体に記録された情報の消去に関する利用者の体感時間を短縮する。【解決手段】記録再生装置１は、光ディスク２０のいずれかに記録されている消去対象情報を消去する消去指示を取得する受信信号解析部５５と、消去指示を格納する補助記憶部４と、受信信号解析部５５が消去指示を取得した時点で、当該消去指示が示す消去対象情報が記録された光ディスク２０が記録再生部８に装着されていない場合に、上記消去対象情報が記録された光ディスク２０が操作対象となる操作指示または自装置が待機状態となるように主電源７をオフにする指示が取得されたことを契機として、補助記憶部４に格納された消去指示が示す消去対象情報、または、当該消去対象情報の管理情報を消去するよう記録再生部８およびターンテーブル移動部１３を制御するコントローラ５６とを備えている。【選択図】図１
2010152990.tif 000002
【特許請求の範囲】
【請求項１】
複数の記録媒体を着脱可能に収納する収納部と、
上記収納部に収納された複数の記録媒体の一部である、情報を記録する対象となる対象記録媒体を装着し、当該対象記録媒体に上記情報を記録する記録部と、
上記対象記録媒体を切り替える変更部とを備える記録装置であって、
上記複数の記録媒体のいずれかに記録されている少なくとも１つの情報を、消去対象情報として消去する消去指示を取得する取得手段と、
上記取得手段が取得した消去指示を格納する格納部と、
上記取得手段が上記消去指示を取得した時点で、当該消去指示が示す消去対象情報が記録された記録媒体が、上記記録部に装着されていない場合に、
上記消去対象情報が記録された記録媒体が操作対象となる操作指示または自装置が待機状態となるように主電源をオフにする指示が取得されたことを契機として、上記格納部に格納された消去指示が示す消去対象情報、または、上記記録媒体における当該消去対象情報の記録位置を示す管理情報を消去するよう上記記録部および上記変更部を制御する制御手段とを備えることを特徴とする記録装置。
【請求項２】
上記複数の記録媒体に記録されている情報の一覧を自装置に通信可能に接続された表示装置に表示するための表示用リストを生成する表示用リスト生成手段と、
上記表示用リスト生成手段が生成した表示用リストを上記表示装置に表示する表示制御手段とをさらに備え、
上記制御手段によって、上記格納部に格納された消去指示が示す消去対象情報、または、当該消去対象情報の上記管理情報が消去される前に、上記表示用リスト生成手段は、上記取得手段が取得した消去指示が示す消去対象情報に関する情報を上記表示用リストから削除することを特徴とする請求項１に記載の記録装置。
【請求項３】
上記操作指示は、上記格納部に格納された消去指示が示す消去対象情報が記録された記録媒体に情報を上記記録部によって記録する指示であること特徴とする請求項１または２に記載の記録装置。
【請求項４】
上記収納部に収納された複数の記録媒体の一部である、情報を再生する対象となる対象記録媒体を装着し、当該対象記録媒体の上記情報を再生する再生部をさらに備え、
上記操作指示は、上記格納部に格納された消去指示が示す消去対象情報が記録された記録媒体に記録された情報を上記再生部によって再生する指示であること特徴とする請求項１または２に記載の記録装置。
【請求項５】
上記操作指示は、上記格納部に格納された消去指示が示す消去対象情報が記録された記録媒体を自装置から排出する指示であることを特徴とする請求項１または２に記載の記録装置。
【請求項６】
上記制御手段が、上記記録部を介して上記消去対象情報または上記管理情報を消去する間、自装置の動作状態を示すメッセージまたは利用者に待機を促す旨のメッセージを、自装置に備えられた表示部または自装置に接続された表示装置もしくはその両方に表示する表示制御手段をさらに備えることを特徴とする請求項５に記載の記録装置。
【請求項７】
請求項１〜６のいずれか１項に記載の記録装置を動作させるための制御プログラムであって、コンピュータを上記各手段として機能させるための制御プログラム。
【請求項８】
請求項７に記載の制御プログラムを記録したコンピュータ読み取り可能な記録媒体。
【請求項９】
複数の記録媒体を着脱可能に収納する収納部と、
上記収納部に収納された複数の記録媒体の一部である、情報を記録する対象となる対象記録媒体を装着し、当該対象記録媒体に上記情報を記録する記録部と、
上記対象記録媒体を切り替える変更部とを備える記録装置の制御方法であって、
上記複数の記録媒体のいずれかに記録されている少なくとも１つの情報を、消去対象情報として消去する消去指示を取得する取得工程と、
上記取得工程において取得された消去指示を格納部に格納する格納工程と、
上記取得工程において上記消去指示が取得された時点で、当該消去指示が示す消去対象情報が記録された記録媒体が、上記記録部に装着されていない場合に、
上記消去対象情報が記録された記録媒体が操作対象となる操作指示または自装置が待機状態となるように主電源をオフにする指示が取得されたことを契機として、上記格納部に格納された消去指示が示す消去対象情報、または、上記記録媒体における当該消去対象情報の記録位置を示す管理情報を消去するよう上記記録部および上記変更部を制御する制御工程とを含むことを特徴とする制御方法。
【発明の詳細な説明】
【技術分野】
【０００１】
本発明は、複数の記録媒体を着脱可能に収納し、当該記録媒体に対して記録を行う記録装置に関するものである。
【背景技術】
【０００２】
複数のディスクを着脱可能に収納できるオートチェンジャ型レコーダーは、例えば、特許文献１に記載されている。特許文献１に記載の記録再生装置では、１つのプログラムを複数の光ディスクに跨って記録する場合に、プログラムの冒頭部は装置内のメモリに記録し、プログラムの残り部分は、光ディスクに記録する。上記記録再生装置は、光ディスクの空き容量がなくなった時、光ディスクを自動で交換し、交換した光ディスクにプログラムを記録する。上記記録再生装置は、交換の間のプログラムはバッファメモリに一時保存し、光ディスクの交換後に、バッファメモリから光ディスクにダビングする。
【０００３】
このように、装置内のメモリにプログラムの冒頭部が記録されていることにより、プログラムの再生の際に、光ディスクのローディングに要する時間が実質的に不要となり、プログラムの再生までの時間が短くなる。
【特許文献１】特開２０００−４８４６８号公報（２０００年２月１８日公開）
【発明の開示】
【発明が解決しようとする課題】
【０００４】
ところが、上記従来の構成では、記録媒体に記録された情報を消去する場合の動作については考慮されていない。そのため、利用者が消去指示を出した情報が記録されている記録媒体がローディングされていない場合には、当該記録媒体をローディングする必要があり、ローディングに要する時間のために、消去指示が出されてから消去が完了するまでに時間がかかるという問題が生じる。
【０００５】
本発明は、上記の問題点を解決するためになされたもので、その目的は、複数の記録媒体を着脱可能に収納し、当該記録媒体に対して記録を行う記録装置において、記録媒体に記録された情報の消去に関する利用者の体感時間を短縮することができる記録装置を提供することにある。
【課題を解決するための手段】
【０００６】
本発明に係る記録装置は、上記の課題を解決するために、複数の記録媒体を着脱可能に収納する収納部と、上記収納部に収納された複数の記録媒体の一部である、情報を記録する対象となる対象記録媒体を装着し、当該対象記録媒体に上記情報を記録する記録部と、上記対象記録媒体を切り替える変更部とを備える記録装置であって、上記複数の記録媒体のいずれかに記録されている少なくとも１つの情報を、消去対象情報として消去する消去指示を取得する取得手段と、上記取得手段が取得した消去指示を格納する格納部と、上記取得手段が上記消去指示を取得した時点で、当該消去指示が示す消去対象情報が記録された記録媒体が、上記記録部に装着されていない場合に、上記消去対象情報が記録された記録媒体が操作対象となる操作指示または自装置が待機状態となるように主電源をオフにする指示が取得されたことを契機として、上記格納部に格納された消去指示が示す消去対象情報、または、上記記録媒体における当該消去対象情報の記録位置を示す管理情報を消去するよう上記記録部および上記変更部を制御する制御手段とを備えることを特徴としている。
【０００７】
本発明に係る制御方法は、上記の課題を解決するために、複数の記録媒体を着脱可能に収納する収納部と、上記収納部に収納された複数の記録媒体の一部である、情報を記録する対象となる対象記録媒体を装着し、当該対象記録媒体に上記情報を記録する記録部と、上記対象記録媒体を切り替える変更部とを備える記録装置の制御方法であって、上記複数の記録媒体のいずれかに記録されている少なくとも１つの情報を、消去対象情報として消去する消去指示を取得する取得工程と、上記取得工程において取得された消去指示を格納部に格納する格納工程と、上記取得工程において上記消去指示が取得された時点で、当該消去指示が示す消去対象情報が記録された記録媒体が、上記記録部に装着されていない場合に、上記消去対象情報が記録された記録媒体が操作対象となる操作指示または自装置が待機状態となるように主電源をオフにする指示が取得されたことを契機として、上記格納部に格納された消去指示が示す消去対象情報、または、上記記録媒体における当該消去対象情報の記録位置を示す管理情報を消去するよう上記記録部および上記変更部を制御する制御工程とを含むことを特徴としている。
【０００８】
上記の構成によれば、収納部には、複数の記録媒体が着脱可能に収納される。記録部は、そのうちの一部の記録媒体である対象記録媒体を装着し、当該対象記録媒体に情報を記録する。換言すれば、記録部は、１度の記録の機会において、記録装置が収納可能な最大の記録媒体よりも少ない記録媒体に対して情報の記録を行う。
【０００９】
記録部よりも多い数の記録媒体に情報を記録するために、変更部は、記録部に装着される対象記録媒体を変更する。例えば、変更部は、記録部としてのドライブ装置にロード（装填）される記録媒体を変更する。
【００１０】
記録の対象となる記録媒体を変更するには、記憶部または記録媒体の物理的な移動を行う必要があるため、記録媒体の変更には時間がかかる。
【００１１】
一方、取得手段は、消去対象の情報である消去対象情報を消去する消去指示を取得する。消去対象情報は、複数の記録媒体のいずれかに記録されている少なくとも１つの情報であり、複数でも構わない。取得手段が取得した消去指示は格納部に格納される。
【００１２】
制御手段は、記録部および変更部を制御することにより対象記録媒体に情報を記録する、または、対象記録媒体の情報を消去する。この制御手段は、取得手段が消去指示を取得した時点で、当該消去指示が示す消去対象情報が記録された記録媒体が、上記記録部に装着されていない場合に、上記消去対象情報が記録された記録媒体が操作対象となる操作指示または自装置が待機状態となるように自装置の主電源をオフにする指示を取得したことを契機として、格納部に格納された消去指示が示す消去対象情報またはその管理情報を消去する。
【００１３】
この消去処理により実質的に記録媒体から消去対象情報が消去される。自身に記録された情報を管理情報により管理する記録媒体を用いる場合には、消去対象情報を消去せずに、対応する管理情報を消去するだけでも、記録（再生）装置は当該消去対象情報が消去されたと認識する。そのため、消去対象情報を消去せずに、対応する管理情報を消去するだけでもかまわない。
【００１４】
このように、消去指示が入力された時点で、消去対象情報が記録された記録媒体が記録部に装着されていない場合に、記録対象の記録媒体を変更して消去対象情報を消去するのではなく、それ以降の所定のタイミングで、消去指示が示す消去対象情報またはその管理情報を消去する。上記所定のタイミングとは、消去対象情報が記録された記録媒体が操作対象となる操作指示または自装置が待機状態となるように自装置の主電源をオフにする指示が取得された時点である。
【００１５】
消去対象情報が記録された記録媒体が操作対象となる操作指示が入力されることにより、当該記録媒体が記録部に装着されたときに消去対象情報を消去すれば、当該消去対象情報を消去するために上記記録媒体を記録部に装着する動作を省くことができる。
【００１６】
また、自装置が待機状態となる主電源がオフの状態では、予約記録および予約再生を除けば、自装置は利用者から記録（再生）動作に関わる指示を受け付けることがないため、主電源がオフの状態で、消去対象情報が記録された記録媒体を記録部に装着する動作を行っても、利用者が指示した動作を中断することにより利用者を待たせる可能性が非常に低い。また、通常、待機状態では、利用者は記録装置に意識を向けていない。
【００１７】
それゆえ、消去指示が入力された時点で消去対象情報を消去する場合よりも、消去指示を出した利用者の待ち時間を短縮することができる。
【００１８】
また、上記複数の記録媒体に記録されている情報の一覧を自装置に通信可能に接続された表示装置に表示するための表示用リストを生成する表示用リスト生成手段と、上記表示用リスト生成手段が生成した表示用リストを上記表示装置に表示する表示制御手段とをさらに備え、上記制御手段によって、上記格納部に格納された消去指示が示す消去対象情報、または、当該消去対象情報の上記管理情報が消去される前に、上記表示用リスト生成手段は、上記取得手段が取得した消去指示が示す消去対象情報に関する情報を上記表示用リストから削除することが好ましい。
【００１９】
上記の構成によれば、表示用リスト生成手段は、複数の記録媒体に記録されている情報の一覧を自装置に接続された表示装置に表示するための表示用リストを生成し、表示制御手段は、その表示用リストを表示装置に表示する。そして表示用リスト生成手段は、制御手段によって消去対象情報または当該消去対象情報の管理情報が消去される前に、消去指示が示す消去対象情報に関する情報（例えば、映像のタイトル）を表示用リストから削除する。
【００２０】
それゆえ、利用者が消去指示した情報の名称等を表示用リストから削除することにより、実際には当該情報が消去されていなくても、消去されたかのように利用者に示すことができ、消去したはずの情報の名称等が表示されることにより利用者が混乱することを防止できる。
【００２１】
また、上記操作指示は、上記格納部に格納された消去指示が示す消去対象情報が記録された記録媒体に情報を上記記録部によって記録する指示であることが好ましい。
【００２２】
上記の構成によれば、消去対象情報が記録された記録媒体に情報を記録するために当該記録媒体が記録部に装着されたときに、上記消去対象情報が消去される。
【００２３】
それゆえ、消去対象情報を消去するために記録媒体を記録部に装着する動作を省くことができ、消去対象情報の消去にかかる時間を短縮することができる。
【００２４】
また、上記収納部に収納された複数の記録媒体の一部である、情報を再生する対象となる対象記録媒体の情報を再生する再生部をさらに備え、上記操作指示は、上記格納部に格納された消去指示が示す消去対象情報が記録された記録媒体に記録された情報を上記再生部によって再生する指示であることが好ましい。
【００２５】
上記の構成によれば、消去対象情報またはその管理情報が記録された記録媒体が上記記録部の記録対象または再生部の再生対象として選択されている間に、消去指示が示す消去対象情報またはその管理情報が消去される。すなわち、消去対象情報またはその管理情報が記録された記録媒体が対象記録媒体として記録部に装着されたときに消去対象情報またはその管理情報が消去される。
【００２６】
それゆえ、消去対象情報またはその管理情報を消去するために改めて対象記録媒体を変更する必要がなく、消去対象情報またはその管理情報を消去する時間を短縮できる。
【００２７】
また、上記操作指示は、上記格納部に格納された消去指示が示す消去対象情報が記録された記録媒体を自装置から排出する指示であることが好ましい。
【００２８】
上記の構成によれば、上記消去対象情報または上記管理情報を消去する前に、当該消去対象情報が記録された記録媒体を自装置から排出する指示を取得した場合に、当該記録媒体が排出される前に、上記記録部を介して上記消去対象情報または上記管理情報が消去される。
【００２９】
それゆえ、消去対象情報またはその管理情報を消去する前に当該消去対象情報が記録された記録媒体が自装置から排出されることを防止できる。従って、利用者が消去を指示したはずの情報が他の記録再生装置で再生されることにより利用者が混乱することを防止できる。
【００３０】
また、上記制御手段が、上記記録部を介して上記消去対象情報または上記管理情報を消去する間、自装置の動作状態を示すメッセージまたは利用者に待機を促す旨のメッセージを、自装置に備えられた表示部または自装置に接続された表示装置もしくはその両方に表示する表示制御手段をさらに備えることが好ましい。
【００３１】
消去対象情報が記録された記録媒体を自装置から排出する指示が入力されたことを契機として当該消去対象情報またはその管理情報を消去する場合には、それらの消去に時間を要するため、通常の排出動作よりも多くの時間を要することになる。
【００３２】
上記の構成によれば、消去対象情報が記録された記録媒体を自装置から排出する指示が入力されたことを契機として、当該消去対象情報またはその管理情報を消去する場合に、表示制御手段は、消去対象情報またはその管理情報を消去する間、自装置の動作状態を示すメッセージまたは利用者に待機を促す旨のメッセージを、自装置に備えられた表示部または自装置に接続された表示装置もしくはその両方に表示する。
【００３３】
それゆえ、通常の記録媒体の排出動作よりも時間がかかっていることに対して、利用者がとまどうことを防止できる。
【００３４】
また、上記記録装置を動作させるための制御プログラムであって、コンピュータを上記各手段として機能させるための制御プログラムおよび当該制御プログラムを記録したコンピュータ読み取り可能な記録媒体も本発明の技術的範囲に含まれる。
【発明の効果】
【００３５】
以上のように、本発明に係る記録装置は、複数の記録媒体を着脱可能に収納する収納部と、上記収納部に収納された複数の記録媒体の一部である、情報を記録する対象となる対象記録媒体を装着し、当該対象記録媒体に上記情報を記録する記録部と、上記対象記録媒体を切り替える変更部とを備える記録装置であって、上記複数の記録媒体のいずれかに記録されている少なくとも１つの情報を、消去対象情報として消去する消去指示を取得する取得手段と、上記取得手段が取得した消去指示を格納する格納部と、上記取得手段が上記消去指示を取得した時点で、当該消去指示が示す消去対象情報が記録された記録媒体が、上記記録部に装着されていない場合に、上記消去対象情報が記録された記録媒体が操作対象となる操作指示または自装置が待機状態となるように主電源をオフにする指示が取得されたことを契機として、上記格納部に格納された消去指示が示す消去対象情報、または、上記記録媒体における当該消去対象情報の記録位置を示す管理情報を消去するよう上記記録部および上記変更部を制御する制御手段とを備える構成である。
【００３６】
また、本発明に係る制御方法は、複数の記録媒体を着脱可能に収納する収納部と、上記収納部に収納された複数の記録媒体の一部である、情報を記録する対象となる対象記録媒体を装着し、当該対象記録媒体に上記情報を記録する記録部と、上記対象記録媒体を切り替える変更部とを備える記録装置の制御方法であって、上記複数の記録媒体のいずれかに記録されている少なくとも１つの情報を、消去対象情報として消去する消去指示を取得する取得工程と、上記取得工程において取得された消去指示を格納部に格納する格納工程と、上記取得工程において上記消去指示が取得された時点で、当該消去指示が示す消去対象情報が記録された記録媒体が、上記記録部に装着されていない場合に、上記消去対象情報が記録された記録媒体が操作対象となる操作指示または自装置が待機状態となるように主電源をオフにする指示が取得されたことを契機として、上記格納部に格納された消去指示が示す消去対象情報、または、上記記録媒体における当該消去対象情報の記録位置を示す管理情報を消去するよう上記記録部および上記変更部を制御する制御工程とを含む構成である。
【００３７】
それゆえ、消去指示が入力された時点で消去対象情報を消去する場合よりも、消去指示を出した利用者の待ち時間を短縮することができるという効果を奏する。
【発明を実施するための最良の形態】
【００３８】
本発明の実施の一形態について図１〜図１７に基づいて説明すれば、以下のとおりである。本実施の形態に係る記録再生装置（記録装置）１は、複数の光ディスク２０を収納可能かつ着脱可能な、オートチェンジャ型レコーダーである。記録再生装置１に収納されている全ての光ディスク２０に録画されている番組のリストが、記録再生装置１に接続された表示装置２４の画面に表示される。利用者は複数の番組を選択し、その番組を消去する消去指示を出すことが可能である。
【００３９】
消去指示を受けた記録再生装置１は、画面に表示されている番組リストから該当番組の表示を消去するが、消去指示された番組が記録された光ディスク２０が記録再生装置１内のドライブ（記録再生部８）にロード(装填)されていない場合、または、複数の光ディスク２０にわたって消去対象の番組が記録されている場合には、その時点では、光ディスク２０から該当番組のデータを消去せず、記録再生装置１が待機状態にある時などに、自動で番組データの消去を行う。
【００４０】
なお、本発明の記録再生装置に着脱可能に収納される記録媒体は、光ディスクに限定されず、例えば、磁気ディスク、半導体メモリ等の記録媒体であってもよい。ただし、記録再生装置が備えるハードディスク（主記憶装置）は、当該ハードディスクが着脱可能であったとしても上記記録媒体には含めない。なぜなら、上記ハードディスクは、記録再生部８の記録対象または再生対象として選択されないからである。
【００４１】
（記録再生装置１の構成）
図１は、本実施の形態の記録再生装置１の構成を示す概略図である。同図に示すように、記録再生装置１は、赤外線送受信部２、チューナ部３、補助記憶部４、主制御部５、タイマ６、主電源７、光ピックアップ９、スピンドルモータ１０、位置調節部（変更部）１１、ターンテーブル（収納部）１２およびターンテーブル移動部（変更部）１３を備えている。
【００４２】
主制御部５は、予約情報管理部５１、表示用リスト生成部（表示用リスト生成手段）５２、管理テーブル生成部５３、表示制御部（表示制御手段）５４、受信信号解析部（取得手段）５５、コントローラ（制御手段）５６、入出力信号処理部５７、光ピックアップ制御部５８およびターンテーブル制御部５９を備えている。
【００４３】
赤外線送受信部２は、リモコン２１の赤外線送受信部２２から送信された赤外線信号を受信し、受信した信号を受信信号解析部５５へ出力する。
【００４４】
受信信号解析部５５は、赤外線送受信部２が受信した信号を解析することにより利用者の指示を判定し、判定した指示をコントローラ５６へ出力する。特に受信信号解析部５５は、ターンテーブル１２に収納された複数の光ディスク２０のいずれかに記録されている少なくとも１つの情報（消去対象情報と称する）を消去する消去指示を取得する。なお、ここで言うターンテーブル１２とは、詳細は後述するが、複数の光ディスク２０を転置できるトレイを備えたものである 。
【００４５】
リモコン２１は、記録再生装置１の操作部として機能するが、記録再生装置１が入力ボタン等の操作部および対応する入力インターフェースを備えていてもよい。この場合、上記入力インターフェースが、消去指示を取得する取得手段として機能する。取得手段は、利用者からの指示を取得し、当該指示をコントローラ５６へ出力できるものであればどのようなものであってもよい。
【００４６】
チューナ部３は、アンテナ装置２３を介して放送番組を選択的に受信し、受信した放送信号を処理することにより、画像および音声を再生可能な放送信号（映像信号および音声信号）を入出力信号処理部５７へ出力する。このチューナ部３は、デジタル放送用のものでもよいし、アナログ放送用のものでもよい。また、ケーブルテレビなどによる放送を録画する場合には、別途設けられたケーブルテレビ用のセットトップボックスからの信号が、記録再生装置１の入出力信号処理部５７に入力されるようになっていてもよい。
【００４７】
入出力信号処理部５７は、チューナ部３から受信した放送信号を符号化するとともに、符号化した情報を光ディスク２０に記録するために変調し、変調した信号を光ピックアップ９の半導体レーザ（不図示）へ出力する。さらに、入出力信号処理部５７は、光ディスク２０からの再生信号を光ピックアップ９を介して受信し、復号して映像信号に変換した後、表示制御部５４へ出力する。
【００４８】
光ピックアップ９およびスピンドルモータ１０は、光ディスク２０に対して記録再生を行う記録再生部（記録部、再生部）８として機能する。
【００４９】
光ピックアップ９は、ターンテーブル１２に収納された複数の光ディスク２０の１つである対象光ディスクに対して情報の記録、消去および再生を行う。具体的には、光ピックアップ９は、光ディスク２０に光ビームを照射して情報の記録および再生を行うものであり、対物レンズ、半導体レーザ、光検出器、コリメートレンズ、ビームスプリッタ等の部材および情報の記録再生に必要な各種の回路を備えている。光ピックアップ９は、公知のものでよいため、その詳細についての説明は省略する。
【００５０】
スピンドルモータ１０は、光ディスク２０を光ピックアップ９に対して円周方向に回転させるものである。
【００５１】
光ピックアップ９とスピンドルモータ１０とは一体となって位置調節部１１によって移動させられ、記録／再生の対象となる光ディスク２０（対象光ディスク）をローディングする。この移動機構の詳細については後述する。
【００５２】
光ピックアップ制御部５８は、光ピックアップ９、スピンドルモータ１０および位置調節部１１を制御することにより、光ディスク２０に対して情報の記録、消去および再生を行う。なお、光ピックアップ９に対して、フォーカスサーボ、トラッキングサーボ、収差サーボ等の各種サーボが行われるが、これら制御は本発明の本質とは直接関係がないため、その説明を省略する。
【００５３】
ターンテーブル１２は、複数の光ディスク２０を着脱可能に収納するものである。図２は、ターンテーブル１２の一部のトレイ１５が記録再生装置１の筐体３０から突出している状態を示す概略図である。同図に示すように、ターンテーブル１２は、４枚の光ディスク２０を載置できるトレイ１５ａ〜ｄを備えており、一部のトレイ１５が記録再生装置１の筐体３０から突出する（記録再生装置１の前方にせり出す）ように移動する。利用者は、筐体から突出したトレイ１５に光ディスク２０をセッティングできる。
【００５４】
ターンテーブル１２は、回転軸１６を中心に回転可能であり、回転することにより、光ピックアップ９が情報を記録または再生する対象となる光ディスク２０を変更することができる。ターンテーブル１２の動作の詳細については後述する。
【００５５】
ターンテーブル移動部１３は、一部のトレイ１５が記録再生装置１の筐体から突出するようにターンテーブル１２を移動させるとともに、ターンテーブル１２を回転させることにより対象光ディスクを切り替える。
【００５６】
補助記憶部４は、記録再生装置１の動作に必要な各種のデータを格納するものであり、例えば、半導体メモリまたはハードディスクである。
【００５７】
予約情報管理部５１は、利用者の指示に従って、番組の録画予約および光ディスク２０に記録された情報（例えば、映画）の再生予約に関する情報を示す予約リスト４５を生成し、生成した予約リスト４５を補助記憶部４に格納する。
【００５８】
管理テーブル生成部５３は、光ディスク２０に記録されている管理情報（ファイル管理情報）に基づいて、光ディスク２０に記録されている情報（ファイル）のリストであるディスク記録情報管理テーブル４１を生成する。また、管理テーブル生成部５３は、光ディスク２０に記録されている管理情報に基づいて、光ディスク２０の種別、記録容量および記録残容量を示すディスク情報管理テーブル４２を生成する。管理テーブル生成部５３は、生成したディスク記録情報管理テーブル４１およびディスク情報管理テーブル４２を補助記憶部４に格納する。
【００５９】
さらに、管理テーブル生成部５３は、ターンテーブル１２に収納された複数の光ディスク２０のいずれかに記録されている情報（例えば、番組データ）を消去する消去指示が入力された場合に、その情報が消去対象情報として設定されたことを示す消去対象設定情報（例えば、フラグ）を、ディスク記録情報管理テーブル４１にリストアップされた情報のうちの、当該消去指示が示す情報に対して付与する。換言すれば、管理テーブル生成部５３は、上記消去指示をディスク記録情報管理テーブル４１に記録することにより、当該消去指示を補助記憶部４に格納する。管理テーブル生成部５３における処理の詳細については後述する。
【００６０】
コントローラ５６は、主制御部５の各機能ブロックおよび主電源７を制御するものである。特に、コントローラ５６は、受信信号解析部５５から上記消去指示を取得した時点で、当該消去指示が示す消去対象情報が記録された光ディスク２０が記録再生部８の記録再生対象となっていない場合に、上記時点より後の所定のタイミングで、消去指示が示す消去対象情報の管理情報を消去するよう、入出力信号処理部５７および光ピックアップ制御部５８を介して記録再生部８を制御する。
【００６１】
より詳細には、コントローラ５６は、受信信号解析部５５が消去指示を取得した後に、当該消去指示が示す消去対象情報が記録された光ディスク２０が、記録再生部８に装着されていない場合に、消去対象情報が記録された光ディスク２０が操作対象となる操作指示または自装置が待機状態となるように主電源７をオフにする指示を取得したことを契機として、補助記憶部４に格納された消去指示が示す消去対象情報、または、上記光ディスク２０における当該消去対象情報の記録位置を示す管理情報（後述するファイル管理情報２２１）を消去するよう記録再生部８およびターンテーブル移動部１３を制御する。
【００６２】
上記操作指示とは、消去対象情報が記録された光ディスク２０に情報を記録する指示、消去対象情報が記録された光ディスク２０から情報を再生する指示、または消去対象情報が記録された光ディスク２０を記録再生装置１から排出する指示である。
【００６３】
なお、消去指示が示す消去対象情報が記録された光ディスク２０が記録再生部８の記録再生対象となっていない場合とは、図９を用いて後述するように、消去指示が示す消去対象情報が記録されている光ディスク２０が記録再生部８に装着されていない場合である。
【００６４】
表示用リスト生成部５２は、ディスク記録情報管理テーブル４１に基づいて、光ディスク２０に記録されている情報の一覧（番組リストと称する）を記録再生装置１に通信可能に接続された表示装置２４に表示するための表示用リスト４４を生成する。特に、表示用リスト生成部５２は、コントローラ５６によって、補助記憶部４に格納された消去指示が示す消去対象情報、または、当該消去対象情報の管理情報（ファイル管理情報２２１）が消去される前に、受信信号解析部５５が取得した消去指示が示す消去対象情報に関する情報を表示用リスト４４から削除する。表示用リスト生成部５２における処理の詳細については後述する。
【００６５】
表示制御部５４は、表示装置２４に表示するための表示用画像を生成し、その表示用画像を表示装置２４に出力する。特に、表示制御部５４は、表示用リスト生成部５２が生成した表示用リスト４４が示す番組リストを表示装置２４に表示させる。
【００６６】
また、表示制御部５４は、コントローラ５６が、記録再生部８を介して消去対象情報またはその管理情報を消去する間、記録再生装置１の動作状態を示すメッセージまたは利用者に待機を促す旨のメッセージを、記録再生装置１に備えられた表示部（不図示）または記録再生装置１に接続された表示装置２４もしくはその両方に表示する。
【００６７】
（ターンテーブル１２の詳細）
次にターンテーブル１２の動作について図２〜図４を参照しつつ説明する。図３は、ターンテーブル１２の全体が記録再生装置１の筐体３０内に収納されている状態を示す概略図である。図４は、ターンテーブル１２のトレイ１５ａにセッティングされた光ディスク２０ａが、記録再生対象になっている状態を示す概略図である。
【００６８】
ターンテーブル１２は、図２に示すように、ほぼ円盤状であり、その中心に回転軸１６を有している。そして、回転軸１６を囲むように４つのトレイ１５（トレイ１５ａ〜ｄ）が設けられている。回転軸１６には角度センサ（不図示）が内蔵されており、トレイ１５ａ〜ｄの位置は、角度センサの出力をもとにコントローラ５６により管理されている。各トレイ１５は円形の凹部を含んでおり、この凹部に光ディスク２０を載置することができる。図２は、トレイ１５ａに光ディスク２０ａがセッティングされている状態を示している。
【００６９】
光ディスク２０をセッティングする場合には、光ディスク２０がセッティングされていないトレイ１５が筐体３０からせり出すようにターンテーブル１２が回転した後（または回転しながら）、ターンテーブル１２が筐体３０からせり出す。
【００７０】
トレイ１５ａに光ディスク２０ａをセッティングした後、利用者が所定のボタンを押せば、ターンテーブル移動部１３によりターンテーブル１２は筐体３０内に収納される。ターンテーブル１２の収納は、利用者が手動で行ってもよい。
【００７１】
ディスク検知センサ１７により、どのトレイ１５に光ディスク２０がセッティングされているかを検知することができる。ディスク検知センサ１７は、ＬＥＤ（発光ダイオード）と受光素子とを備え、光ディスク２０に反射したＬＥＤからの出射光を受光素子で受光することにより光ディスク２０を検知する。ディスク検知センサ１７の検知信号は、ターンテーブル制御部５９へ出力される。
【００７２】
図３に示すように、ターンテーブル１２の全体が筐体３０内に収納された後、トレイ１５ａのディスク検知センサ１７ａからの検知信号をターンテーブル制御部５９が受信すると、ターンテーブル制御部５９は、ターンテーブル移動部１３を制御することによりターンテーブル１２を回転させ、図４に示すようにトレイ１５ａにセッティングされた光ディスク２０ａを光ピックアップ９の記録再生対象とする。
【００７３】
（ローディング動作の詳細）
図５（ａ）〜（ｃ）は、ローディング動作を示す概略図である。同図（ａ）に示すように、筐体３０からせり出したトレイ１５ａに光ディスク２０ａがセッティングされた後、ターンテーブル１２が筐体３０内に収納されると、ターンテーブル１２が１８０度回転し、同図（ｂ）に示すように、トレイ１５ａにセッティングされた光ディスク２０ａが光ピックアップ９の直上に配置される。
【００７４】
その後、同図（ｃ）に示すように、光ピックアップ９およびスピンドルモータ１０が一体的に上昇することにより、スピンドルモータ１０がターンテーブル１２から光ディスク２０ａを持ち上げるようにして、光ディスク２０ａがスピンドルモータ１０に転載される。
【００７５】
なお、既にターンテーブル１２にセッティングされている光ディスク２０に対して記録再生を行う場合には、記録再生の対象となる光ディスク２０が光ピックアップ９の直上に配置されるようにターンテーブル１２を回転させた後、同図（ｃ）に示した動作を行えばよい。
【００７６】
（光ディスク２０のデータ構造）
次に、光ディスク２０のデータ構造について図６を参照しつつ説明する。図６は、光ディスク２０のデータ構造を示す概略図である。同図に示すように、光ディスク２０は、リードインエリア２１０、ユーザデータエリア（データ記録エリア）２２０およびリードアウトエリア２３０を備えている。
【００７７】
リードインエリア２１０は、光ディスク２０が記録再生部８にローディングされると最初に読み取られる領域であり、光ディスク２０の概要に関する情報、記録・再生・消去に関する情報、および光ディスク２０の製造に関する情報が予め記録されている。光ディスク２０の概要に関する情報とは、光ディスク２０のディスクタイプ（ＢＤ−ＲＷ、ＢＤ−Ｒ、ＢＤ−Ｒ、ＤＶＤ−ＲＡＭ、ＤＶＤ±ＲＷ、ＤＶＤ±Ｒ、ＤＶＤ−ＲＯＭ、ＣＤ−ＲＯＭ、ＣＤ−ＲＷ、ＣＤ−Ｒなど）、記録層の数、ディスクサイズ、記録密度、記録開始／記録終了位置を示す物理セクター番号などの情報である。記録・再生・消去に関する情報とは、記録パワーおよび記録パルス幅、消去パワー、再生パワー、記録・消去時の線速などの情報である。光ディスク２０の製造に関する情報とは、製造番号などの情報である。
【００７８】
また、リードインエリア２１０には、全体容量情報および空き容量情報が記録されている。全体容量情報は、光ディスク２０の全容量を示すものである。空き容量情報は、光ディスク２０の空き容量（残量）を示すものである。
【００７９】
リードアウトエリア２３０には、ユーザデータエリア２２０が終わったことを示す情報が記録されている。
【００８０】
ユーザデータエリア２２０には、ボリュームおよびファイル構造の情報を管理するためのファイル管理情報２２１を記録する領域が含まれる。
【００８１】
ファイル管理情報２２１は、データエリア２２２に記録されているファイルが、どのセクタに、どの順番で記録されているかを示す情報である。このファイル管理情報２２１には、ファイルのファイルネーム、ファイルが記録されている位置（セクタ番号）、ファイルのサイズ、記録日時などが含まれる。
【００８２】
各ファイルは、連続したセクタに記録されている必要はなく、複数の部分データに分断されて記録されてもよい。この場合には、それぞれの部分データの位置情報がファイルネームと関連付けられて、ファイル管理情報２２１として記録される。部分データは連続するセクタの先頭から記録され、先頭のセクタのセクタ番号と部分データの長さとによって当該部分データの位置が管理される。
【００８３】
また、ユーザデータエリア２２０は、利用者が利用する番組データ等のデータを記録するためのデータエリア２２２を含んでおり、このデータエリア２２２は、オーディオ・ビデオデータエリア２２３を含んでいる。オーディオ・ビデオデータエリア２２３には、制御情報２２４、ビデオオブジェクト２２５、ピクチャオブジェクト２２６、オーディオオブジェクト２２７が記録される。
【００８４】
制御情報２２４とは、録画（録音）、再生、編集、検索等の各処理を行う時に必要な制御情報である。ビデオオブジェクト２２５とは、ビデオデータの中身の録画情報（動画データ）である。ピクチャオブジェクト２２６とは、スライドやスチルなどの静止画、ビデオデータ内の見たい場所検索用の情報、およびビデオデータ内の編集用サムネールの情報である。オーディオオブジェクト２２７とは、オーディオデータの中身の録音情報である。
【００８５】
制御情報２２４には、ビデオマネージャー２２８が含まれている。このビデオマネージャー２２８は、ビデオオブジェクト２２５に含まれる各ビデオタイトルセット（ＶＴＳ）２２９の録画（録音）、再生、編集、検索等の処理を行う時に必要な制御情報である。具体的には、ビデオマネージャー２２８には、光ディスク２０が採用する規格のバージョン番号、各ビデオタイトルセット２２９が記録される光ディスク２０の空き容量（記録可能な容量）およびビデオタイトルセット２２９の数等が記録されている。
【００８６】
ビデオマネージャー２２８は、データエリア２２２の先頭付近（光ディスク２０の内周側）に記録されており、記録再生装置１は、光ディスク２０のローディング時に、リードインエリア２１０、ファイル管理情報２２１、ビデオマネージャー２２８の順にこれらの情報を読み込む。
【００８７】
各ビデオタイトルセット２２９には、ＭＰＥＧ規格により圧縮されたビデオデータ、所定規格により圧縮された、または非圧縮のオーディオデータおよびランレングス圧縮された副映像データとともに、これらのデータを再生するための情報が格納されている。ビデオタイトルセット２２９は、記録されている映像の数だけ存在しており、データエリア２２２に分散して記録されている場合もある。
【００８８】
（管理テーブル生成部５３におけるテーブル生成処理の詳細）
図７（ａ）は、ディスク情報管理テーブル４２の一例を示す図であり、図７（ｂ）は、ディスク記録情報管理テーブル４１の一例を示す図である。
【００８９】
上述したように記録再生装置１は、光ディスク２０のローディング時に、リードインエリア２１０、ファイル管理情報２２１、ビデオマネージャー２２８の順にこれらの情報を読み込む。このとき管理テーブル生成部５３は、リードインエリア２１０から光ディスク２０の種別、記録容量および記録残容量（空容量）を読み取り、これらの情報を光ディスク２０ごとに示すディスク情報管理テーブル４２を作成する。
【００９０】
このとき、トレイ１５ａにセッティングされた光ディスク２０をディスクＮｏ.１（Ｄ１）として認識し、トレイ１５ｂ、１５ｃ、１５ｄにセッティングされた光ディスク２０を、それぞれディスクＮｏ.２〜４（Ｄ２〜Ｄ４）として認識する。すなわち、管理テーブル生成部５３は、各光ディスク２０を、当該光ディスク２０がセッティングされたトレイ１５の番号と対応付けて管理する。それゆえ、図７（ａ）に示すように、トレイＮｏ．とディスクＮｏ.とが対応付けられている。
【００９１】
なお、ビデオマネージャー２２８にも記録残容量が記録されているため、管理テーブル生成部５３は、ビデオマネージャー２２８から記録残容量を読み取ってもよい。また、管理テーブル生成部５３は、リードインエリア２１０に記録されている光ディスク２０の記録容量から、データエリア２２２にその時点で記録されているデータ量を引くことにより記録残容量を算出してもよい。
【００９２】
また、管理テーブル生成部５３は、光ディスク２０のローディング時に、ビデオマネージャー２２８（および各ビデオタイトルセット２２９）から、各ビデオタイトルセット２２９として記録されている番組ごとに、当該番組の録画日、録画品質、番組が放送されたテレビ局のチャネル（ＣＨ）、番組のタイトルおよび番組のデータ容量を読み取り、これらの情報を示すディスク記録情報管理テーブル４１を作成する。なお、図７（ｂ）に示すように、番組ごとにタイトルＮｏ．が付与されている。
【００９３】
光ディスク２０がターンテーブル１２から除かれた場合には、管理テーブル生成部５３は、除かれた光ディスク２０に対応する管理情報をディスク情報管理テーブル４２およびディスク記録情報管理テーブル４１から削除する。
【００９４】
（管理テーブル生成部５３における消去指示記録処理の詳細）
利用者がリモコン２１を用いて、記録再生装置１に収納された光ディスク２０のうちの何れかに記録されている番組を消去する消去指示を入力すると、その消去指示は、コントローラ５６を介して管理テーブル生成部５３へ出力される。
【００９５】
消去指示を受け取ると、管理テーブル生成部５３は、ディスク記録情報管理テーブル４１に、当該消去指示が示す番組が消去対象であることを示す消去対象設定情報を書き込む。この消去対象設定情報は、例えば、「０」（非対象）または「１」（消去対象）のフラグによって示されればよい。図７（ｂ）においては全ての番組が消去対象ではない状態を示している。
【００９６】
なお、消去対象を示す消去対象設定情報は、ディスク記録情報管理テーブル４１に記録される必要は必ずしもなく、ディスク記録情報管理テーブル４１とは別のテーブルとして記録されてもよい。
【００９７】
（表示用リスト生成部５２における処理の詳細）
図８は、表示装置２４に表示された番組リストの一例を示す概略図である。同図に示すように、番組リストとは、ディスク記録情報管理テーブル４１が示す番組のうち、消去対象になっていない番組の詳細を示すリストであり、表示用リスト４４に記録されているリストである。表示用リスト４４とディスク記録情報管理テーブル４１との最大の違いは、表示用リスト４４には、消去対象になった番組は示されない点である。
【００９８】
これにより、利用者が消去したはずの番組名が表示されることにより利用者が混乱することを防止できる。
【００９９】
この構成を実現するために、表示用リスト生成部５２は、管理テーブル生成部５３が消去対象を示す消去対象設定情報をディスク記録情報管理テーブル４１に記録した場合に、消去対象となった番組を表示用リスト４４から削除する。表示用リスト４４が示す番組リストは、表示制御部５４によって表示装置２４に表示される。
【０１００】
（記録再生装置１における処理の流れ）
次に、記録再生装置１における処理の流れの一例について図８〜図１３を参照しつつ説明する。図９は、記録再生装置１における処理の流れの一例を示すフローチャートである。
【０１０１】
光ディスク２０に記録された情報を消去する場合、当該情報そのものを消去する方法と、当該情報の管理情報を消去する方法とがあるが、一般的には後者の方法がとられている。以下では、消去対象となった情報（消去対象情報）のファイル管理情報２２１を、消去対象情報が記録されている光ディスク２０から消去する場合を例に挙げて説明する。消去対象情報のファイル管理情報２２１を消去することにより、記録再生装置は、消去対象情報の存在を認識することができないため、光ディスク２０から消去対象情報そのものを消去した場合と同じ状態になる。
【０１０２】
まず、利用者が記録再生装置１に対して、リモコン２１により、記録再生装置１に収納された全ての光ディスク２０に記録された全ての番組の一覧（番組リスト）を表示装置２４に表示させる信号を入力する（Ｓ１）。
【０１０３】
上記信号は、赤外線送受信部２を介して受信信号解析部５５に入力される。受信信号解析部５５は、当該信号を解析し、解析によって得た指示（表示指示）をコントローラ５６へ出力する。コントローラ５６は、上記表示指示を表示制御部５４へ出力する。
【０１０４】
表示指示を受信した表示制御部５４は、補助記憶部４に格納されている表示用リスト４４を取得し、図８に示すように、当該表示用リスト４４が示す番組リストを表示装置２４に表示させる（Ｓ２）。
【０１０５】
利用者は、表示装置２４が表示した番組リストを見ながらリモコン２１を操作することにより、消去対象情報（消去対象番組）を指定する。換言すれば、記録再生装置１は、消去対象情報を消去する消去指示を受信する（Ｓ３）。図１０は、消去対象番組を選択する画面の一例を示す図である。図１０に示す例では、２つの光ディスクＤ２、Ｄ４に記録されている４つのタイトルＮｏ．３，４，６，７の番組が消去対象として指定されている。なお、タイトルＮｏ．５は再生専用光ディスクに記録された番組（映画）であるため、消去対象であるか否かを表示する欄が選択できないようになっている。
【０１０６】
上記消去指示を受け取ると、コントローラ５６は、当該消去指示が示す消去対象情報が記録されている光ディスク２０が、その時点で記録再生部８に装着されているかどうかを判定する（Ｓ４）。
【０１０７】
上記光ディスク２０が装着されている場合（Ｓ４にてＹＥＳ）、コントローラ５６は、入出力信号処理部５７および光ピックアップ制御部５８に対して、消去対象情報のファイル管理情報２２１を消去するよう指示する。入出力信号処理部５７および光ピックアップ制御部５８は、その指示に従い消去対象情報のファイル管理情報２２１を消去する（Ｓ５）。
【０１０８】
その後、管理テーブル生成部５３は、ディスク記録情報管理テーブル４１から消去対象情報に関する管理情報を消去し、更新したディスク記録情報管理テーブル４１を補助記憶部４に格納する。また、管理テーブル生成部５３は、消去対象情報の消去に伴い、ディスク情報管理テーブル４２の記録残容量の値を更新する（Ｓ６）。
【０１０９】
これらの処理を終えると管理テーブル生成部５３は、表示用リスト４４を更新する命令を表示用リスト生成部５２に出力する。
【０１１０】
上記命令を受け取ると、表示用リスト生成部５２は、更新されたディスク記録情報管理テーブル４１に基づいて表示用リスト４４を更新する。すなわち、表示用リスト生成部５２は、表示用リスト４４から消去対象情報に関する管理情報（番組タイトルなど）を消去する（Ｓ７）。
【０１１１】
一方、消去指示が示す消去対象情報が記録されている光ディスク２０が記録再生部８に装着されていない場合（Ｓ４にてＮＯ）、コントローラ５６は、管理テーブル生成部５３を介して、消去対象設定情報をディスク記録情報管理テーブル４１に記録する（仮消去状態）（Ｓ８）。
【０１１２】
図１１（ｂ）は、消去対象設定情報が記録されたディスク記録情報管理テーブル４１の一例を示す図である。図１０に示すように、タイトルＮｏ．３，４，６，７の番組が消去対象として指定された場合に、図１１（ｂ）に示すように、これらの番組が消去対象であることを示す消去対象設定情報がディスク記録情報管理テーブル４１に記録される。消去対象設定情報は、図１１（ｂ）では、「対象」として示されている。消去対象となった番組のタイトルＮｏ．は消去され、消去対象ではない番組に対して新たなタイトルＮｏ．が付与される。
【０１１３】
消去対象となった番組は、再生できない番組として扱われる。それゆえ、消去対象設定情報は、当該番組の再生が許可されていないことを示す再生非許可情報であるとも言える。
【０１１４】
その後、管理テーブル生成部５３は、ディスク情報管理テーブル４２において、消去対象となった番組の容量を、当該番組が記録されている光ディスク２０の残容量に加算する（Ｓ９）。すなわち、管理テーブル生成部５３は、ある番組が消去対象となった場合に、当該番組が光ディスク２０から消去されていなくても、消去されたものとして光ディスク２０の残容量を管理する。図１１（ａ）は、記録残容量が更新されたディスク情報管理テーブル４２の一例を示す図である。図１１（ａ）に示すディスク情報管理テーブル４２では、図７（ａ）に示したディスク情報管理テーブル４２と比較して、ディスクＮｏ．Ｄ２およびＤ４の記録残容量が更新されている。
【０１１５】
これらの処理を終えると管理テーブル生成部５３は、表示用リスト４４を更新する命令を表示用リスト生成部５２に出力する。
【０１１６】
上記命令を受け取ると、表示用リスト生成部５２は、更新されたディスク記録情報管理テーブル４１に基づいて表示用リスト４４を更新する（Ｓ１０）。図１２は、更新された番組リストの一例を示す概略図である。タイトルＮｏ．３，４，６，７の番組が消去対象として指定されたことにより、図１２に示すように、消去対象番組が番組リストから削除され、新たなタイトルＮｏ．が付与された番組がリストアップされる。
【０１１７】
その後、コントローラ５６は、後述する所定のタイミングで、消去対象となった番組のファイル管理情報２２１を消去する（Ｓ１１）。
【０１１８】
消去対象となった番組のファイル管理情報２２１が消去されると、管理テーブル生成部５３は、ディスク記録情報管理テーブル４１から消去対象の番組に関する管理情報を消去する（Ｓ１２）。図１３（ａ）は前述の過程（Ｓ９）で記録残容量が更新されたディスク情報管理テーブル４２を示す図であり、図１３（ｂ）は消去対象情報の管理情報が削除されたディスク記録情報管理テーブル４１を示す図である。図１３（ｂ）に示す例では、ディスクＮｏ．Ｄ２およびＤ４に記録されていた番組に関する管理情報がディスク記録情報管理テーブル４１から完全に削除されている。この処理により、一連の消去処理が終了する。
【０１１９】
なお、表示用リスト生成部５２は、表示用リスト４４から消去対象情報に関する情報を消去する処理を、消去対象情報を消去する消去指示が入力された時点で（すなわち、Ｓ３とＳ４との間で）行ってもよい。
【０１２０】
（消去タイミングの第１例）
次に、消去対象となった番組のファイル管理情報２２１を光ディスク２０から消去するタイミングの一例について図１４を参照しつつ説明する。図１４は、消去対象情報のファイル管理情報を消去する処理の一例を示すフローチャートである。
【０１２１】
ここでは、利用者が、消去対象番組が記録された光ディスク２０ａから情報を再生する指示を入力した場合に、消去対象となった番組のファイル管理情報２２１を光ディスク２０ａから消去する例について説明する。
【０１２２】
まず、利用者が光ディスク２０ａに対する再生指示を入力すると、その再生指示をコントローラ５６が受信する（Ｓ２１）。
【０１２３】
再生指示を受信すると、コントローラ５６は、ターンテーブル制御部５９および光ピックアップ制御部５８に対して、光ディスク２０ａをローディングする指示を出力する。この指示を受け取ると、ターンテーブル制御部５９は、ターンテーブル移動部１３を制御することによりターンテーブル１２を回転させ、光ディスク２０ａを記録再生部８の再生対象に設定する。また、光ピックアップ制御部５８は、図５（ｂ）および（ｃ）に示すように、位置調節部１１を制御することによりスピンドルモータ１０に光ディスク２０ａを装着する（Ｓ２２）。
【０１２４】
また、コントローラ５６は、光ディスク２０ａに記録されている番組であって、消去対象に設定されている番組があるかどうかをディスク記録情報管理テーブル４１を参照することにより判定する（Ｓ２３）。
【０１２５】
消去対象に設定されている番組（消去対象番組）が光ディスク２０ａに記録されている場合（Ｓ２４にてＹＥＳ）、コントローラ５６は、入出力信号処理部５７および光ピックアップ制御部５８を介して、消去対象番組のファイル管理情報２２１を消去する（Ｓ２５）。光ディスク２０ａに記録されている消去対象番組が複数存在する場合には、当該複数の消去対象番組に対応するファイル管理情報２２１をそれぞれ消去すればよい。
【０１２６】
その後、コントローラ５６は、管理テーブル生成部５３にディスク記録情報管理テーブル４１の更新を命じる。
【０１２７】
当該命令を受け取ると、管理テーブル生成部５３は、ディスク記録情報管理テーブル４１から消去対象番組に関する管理情報を削除する（Ｓ２６）。
【０１２８】
ディスク記録情報管理テーブル４１の更新が終了すると、コントローラ５６は、再生指示された番組の再生を行うよう光ピックアップ制御部５８に命じる。光ピックアップ制御部５８は、光ピックアップ９およびスピンドルモータ１０を制御することにより光ディスク２０ａに記録された番組を再生する（Ｓ２７）。
【０１２９】
一方、消去対象に設定されている番組（消去対象番組）が光ディスク２０ａに記録されていない場合（Ｓ２４にてＮＯ）、コントローラ５６は、利用者の指示に従って光ディスク２０ａに記録された番組を再生する（Ｓ２７）。
【０１３０】
なお、消去対象番組のファイル管理情報２２１の消去を、再生指示された番組を再生した後に行ってもよく、消去対象番組が記録された光ディスク２０ａが記録再生部８にローディングされている間かつ記録再生動作が行われていない間に消去対象番組のファイル管理情報２２１を消去すればよい。なお、ここで言う、記録再生動作が行われていない間というのは、光ピックアップ９が光ディスク２０ａに信号を記録、あるいは、信号を再生していない間の意味である。例えば、バッファメモリが搭載されている記録再生装置であれば、例えば、光ディスクを高速に回転させ、再生信号を先読みし、その情報をバッファメモリに貯えて、順次再生することにより、利用者が、表示装置で光ディスクから再生された映像を見ているにも係わらず、光ピックアップは信号を再生していない空き時間が生ずる。この空き時間を利用して、消去対象番組のファイル管理情報２２１の消去を行ってもよい。記録に関しても同様であり、予約した番組を録画するために、信号を記録している空き時間を利用して消去を行ってもよい。
【０１３１】
また、利用者が、消去対象番組が記録された光ディスク２０ａに対して情報を記録する指示を入力した場合に、消去対象となった番組のファイル管理情報２２１を光ディスク２０ａから消去してもよい。
【０１３２】
ただし、記録残容量が少ない光ディスク２０ａに情報をさらに記録する場合には、当該記録を行う前に消去対象番組のファイル管理情報２２１を削除することが好ましい。光ディスク２０がローディングされた後は、ファイル管理情報２２１の消去はごく短時間で行えるため、再生または記録動作の前にファイル管理情報２２１を消去しても利用者に時間的な遅延（待ち時間）を感じさせる可能性は少ない。
【０１３３】
なお、利用者が予約録画を設定している番組を記録するために光ディスク２０ａを記録再生部８にローディングし、消去対象番組のファイル管理情報２２１を削除する場合についての詳細は後述する。また、前述したように、番組を記録している間であっても、ディスクを高速に回転させることで、光ピックアップ９が信号を記録していない空き時間を作ることができるので、この時間を利用して、ファイル管理情報２２１を削除してもよい。
【０１３４】
（消去タイミングの第２例）
次に、消去対象となった番組のファイル管理情報２２１を光ディスク２０から消去するタイミングの別の例について図１５を参照しつつ説明する。図１５は、消去対象情報のファイル管理情報を消去する処理の別の例を示すフローチャートである。
【０１３５】
ここでは、記録再生装置１の主電源７がＯＦＦに設定された場合に、消去対象番組のファイル管理情報２２１を光ディスク２０ａから消去する例について説明する。
【０１３６】
主電源７がＯＦＦに設定された状態とは、いわゆる待機状態であり、利用者により予約された記録（または再生）動作を除き、記録および再生動作が行われない状態である。換言すれば、主電源７がＯＦＦの状態では、利用者が再生または記録の指示を入力しても記録および再生動作が行われない状態である。このような待機状態では、主電源７が完全にＯＦＦになるわけではなく、主電源７がＯＮの場合よりも消費電力が少なくなる。
【０１３７】
まず、利用者が主電源７をＯＦＦにする指示を入力すると、コントローラ５６は、主電源７をＯＦＦにする（Ｓ３１）。
【０１３８】
その後、コントローラ５６は、消去対象に設定されている番組（消去対象番組）が少なくとも１つあるかどうかをディスク記録情報管理テーブル４１を参照することにより判定する（Ｓ３２）。
【０１３９】
消去対象番組が少なくとも１つある場合（Ｓ３３にてＹＥＳ）、コントローラ５６は、当該消去対象番組のうちの１つに対応するファイル管理情報２２１を消去するために必要な時間ｔ１と、タイマ６が示す現在の時刻から、予約リスト４５に記録された次の録画予約または再生予約の開始時刻までの時間ｔ２とを比較する（Ｓ３４）。すなわち、コントローラ５６は、予約リスト４５に記録された次の録画（または再生）予約動作が開始されるまでに、ある消去対象番組のファイル管理情報２２１を消去できるかどうかを判定する。
【０１４０】
ｔ１よりもｔ２の方が大きい場合（すなわち、次の録画（または再生）予約の開始時刻までに消去対象番組のファイル管理情報２２１を消去できる場合）には（Ｓ３５にてＹＥＳ）、コントローラ５６は、光ピックアップ制御部５８およびターンテーブル制御部５９を介して、消去対象番組が記録されている光ディスク２０を記録再生部８にローディングする（Ｓ３６）。
【０１４１】
その後、コントローラ５６は、入出力信号処理部５７および光ピックアップ制御部５８を介して、消去対象番組のファイル管理情報２２１を消去する（Ｓ３７）。
【０１４２】
続いて、コントローラ５６は、管理テーブル生成部５３にディスク記録情報管理テーブル４１の更新を命じる。
【０１４３】
当該命令を受け取ると、管理テーブル生成部５３は、ディスク記録情報管理テーブル４１から消去対象番組に関する管理情報を削除する（Ｓ３８）。
【０１４４】
その後、コントローラ５６は、その他に消去対象番組があるかどうかを判定する（Ｓ３３に戻る）。
【０１４５】
一方、ｔ１よりもｔ２の方が小さい場合、すなわち、次の録画（または再生）予約の開始時刻までに消去対象番組のファイル管理情報２２１を消去できない場合には（Ｓ３５にてＮＯ）、コントローラ５６は、予約リスト４５が示す録画（または再生）予約が終了する時刻までファイル管理情報２２１の消去を延期し、録画（または再生）予約が終了後に（Ｓ３９にてＹＥＳ）、予約リスト４５に記録された次の録画（または再生）予約動作が開始されるまでに、消去対象番組のファイル管理情報２２１を消去できるかどうかを判定する（Ｓ３４に戻る）。
【０１４６】
一方、消去対象番組がない場合（Ｓ３３にてＮＯ）、コントローラ５６は、待機状態を維持する。
【０１４７】
なお、上述の説明は、主電源７がＯＦＦに設定された場合の説明であるが、主電源７がＯＮの状態でも録画予約に従った録画動作または再生予約に従った再生動作が可能な構成にしてもよい。この場合には、主電源７がＯＮの状態でも第２例として記載した処理を行うことができる。すなわち、記録再生装置１の主電源７がＯＮであるかＯＦＦであるかにかかわらず、コントローラ５６は、予約リスト４５に記録された次の録画（または再生）予約動作が開始されるまでに、ある消去対象番組のファイル管理情報２２１を消去できるかどうか（空き時間があるかどうか）を判定し、消去が可能である（空き時間がある）と判定した場合に当該消去対象番組のファイル管理情報２２１を消去してもよい。
【０１４８】
ここで、コントローラ５６が空き時間があると判定し、消去対象番組のファイル管理情報２２１を消去する消去動作を開始したものの、主電源７がＯＮの状態で利用者が動作指示（例えば、録画指示）を入力した場合または利用者が主電源７をＯＦＦからＯＮにした上で動作指示を入力した場合の動作について説明する。この場合には、コントローラ５６は、消去動作を優先させて、消去動作が終了した後に動作指示に従った動作を行うか、消去動作を中止（または中断）して、動作指示に従った動作を優先させるかのどちらかを行えばよい。
【０１４９】
より具体的には、消去動作として、光ディスク２０のローディング動作を行っている場合（メカニカルなローディング動作を行っている場合と、光ディスク２０を記録再生部８に装着した後に光ディスク２０の情報を読み取る動作を行っている場合とを含む）は、光ディスク２０のローディング動作を中止し、利用者が指示した光ディスク２０をローディングすればよい。
【０１５０】
消去動作として、消去対象情報の消去を行っている最中であった場合には、消去が完了してから、利用者が指示した光ディスク２０をローディングすることが好ましい。その理由は、消去動作は完全に完了させないと、次回の光ディスク２０の再生動作において読み取りエラーが発生するためである。
【０１５１】
消去動作として、消去対象情報の消去が完了した光ディスク２０を記録再生部８から除去（取り外し）する途中の場合も、その除去が完了してから、利用者が指示した光ディスク２０をローディングする。
【０１５２】
なお、利用者が主電源７をＯＦＦからＯＮにした場合に、コントローラ５６は、主電源７をＯＮにする動作を上記動作指示と見なして、上述のように消去動作を中断してもよい。
【０１５３】
（消去タイミングの第３例）
次に、消去対象となった番組のファイル管理情報２２１を光ディスク２０から消去する前に、消去対象番組が記録された光ディスク２０を取り出す指示が入力された場合に、当該消去対象番組のファイル管理情報２２１を消去する処理の流れについて図１６を参照しつつ説明する。図１６は、消去対象情報のファイル管理情報を消去する処理のさらに別の例を示すフローチャートである。
【０１５４】
まず、利用者が記録再生装置１に光ディスク２０ａを排出する指示を入力すると、その指示をコントローラ５６が受信する（Ｓ４１）。
【０１５５】
コントローラ５６は、光ディスク２０ａに消去対象番組が記録されているかどうかをディスク記録情報管理テーブル４１を参照することにより判定する（Ｓ４２）。
【０１５６】
光ディスク２０ａに消去対象番組が記録されている場合（Ｓ４３にてＹＥＳ）、コントローラ５６は、光ピックアップ制御部５８およびターンテーブル制御部５９を介して光ディスク２０ａを記録再生部８にローディングし（Ｓ４４）、入出力信号処理部５７および光ピックアップ制御部５８を介して、光ディスク２０ａに記録された消去対象番組のファイル管理情報２２１を消去する（Ｓ４５）。
【０１５７】
このとき、コントローラ５６は、表示制御部５４に、光ディスク２０ａの取り出しに時間を要している旨の表示を行うよう指示する。
【０１５８】
当該指示を受け取ると、表示制御部５４は、光ディスク２０ａの取り出しに時間を要している旨のメッセージを表示装置２４に表示させる（Ｓ４６）。当該メッセージは、例えば、利用者に待機を促す旨のメッセージとして「しばらくお待ちください」という処理内容が利用者に分からないものでも、自装置の動作状態を示すメッセージとして「情報を消去中です」という処理内容が利用者に分かるものでもよい。
【０１５９】
ファイル管理情報２２１の消去が終了すると、コントローラ５６は、管理テーブル生成部５３にディスク記録情報管理テーブル４１の更新を命じる。
【０１６０】
当該命令を受け取ると、管理テーブル生成部５３は、ディスク記録情報管理テーブル４１から消去対象番組に関する管理情報を削除する（Ｓ４７）。
【０１６１】
その後、コントローラ５６は、ターンテーブル制御部５９を介して光ディスク２０ａを排出する（Ｓ４８）。
【０１６２】
一方、光ディスク２０ａに消去対象番組が記録されていない場合（Ｓ４３にてＮＯ）、コントローラ５６は、ターンテーブル制御部５９を介して光ディスク２０ａを排出する（Ｓ４８）。
【０１６３】
上記のように、消去対象番組が記録された光ディスク２０が取り出される前に当該消去対象番組のファイル管理情報２２１を削除することにより、利用者が削除したつもりになっている番組が、他の再生装置で再生されてしまうことを防止できる。
【０１６４】
また、上記のように、光ディスク２０ａの排出指示が入力されてから、消去対象番組のファイル管理情報２２１の消去に関する動作を行っている間に、利用者に対してメッセージを表示することにより、通常の光ディスク２０の排出動作よりも時間がかかっていることに対して、利用者がとまどう可能性を低減することができる。
【０１６５】
（消去タイミングの第４例）
消去対象となった番組のファイル管理情報２２１を光ディスク２０から消去するタイミングのさらに別の例について説明する。
【０１６６】
コントローラ５６は、消去対象となっている全ての番組のファイル管理情報２２１を消去する消去指示を利用者から取得した場合に、その時点で消去対象となっている全ての番組のファイル管理情報２２１を消去してもよい。
【０１６７】
複数の消去対象番組が複数の光ディスク２０に記録されている場合には、コントローラ５６は、消去対象番組が記録されている全ての光ディスク２０を順番に記録再生部８に装着して当該消去対象番組のファイル管理情報２２１を消去する。
【０１６８】
消去対象となった番組の情報は、実際に消去されたかどうかにかかわらず番組リストから削除されているため、利用者は、どの番組が仮消去状態（消去対象となっているが実際には消去されていない状態）になっているのかを知ることはできない。それゆえ、上述の動作は、特定の番組を消去するための動作ではなく、仮消去状態になっている全ての番組を消去するための動作である。
【０１６９】
なお、仮消去状態の番組を全て消去する消去指示が入力されたものの、仮消去状態になっている番組はない場合には、記録再生装置１は、その旨を示すメッセージを表示装置２４に表示するなどして、利用者にその旨を報知すればよい。
【０１７０】
また、仮消去状態になっている番組のリスト（仮消去番組リスト）を表示用リスト生成部５２が生成し、表示制御部５４が、当該仮消去番組リストを表示装置２４に表示してもよい。この仮消去番組リスト（仮消去情報リスト）は、表示用リスト４４に組み込まれてもよいし、表示用リスト４４とは別に生成されてもよい。
【０１７１】
このように仮消去番組リストを表示する場合には、仮消去状態になっている番組のうち、特定の番組を消去する消去指示を利用者が入力することができる。それゆえ、上述の「消去対象情報が記録された光ディスク２０が操作対象となる操作指示」には、消去対象となっている番組のうちの少なくとも一部の番組またはそのファイル管理情報２２１を消去するための消去指示も含まれる。
【０１７２】
（光ディスク収納部および交換機構の変更例）
光ディスク２０を収納する収納部および記録再生部８の記録再生対象となる光ディスク２０を交換する機構は、上述したターンテーブル１２に限定されず、どのようなものであってもよい。
【０１７３】
図１７は、光ディスク２０を収納する収納部の変更例を示す図である。例えば、光ディスク２０は、図１７に示すように、複数のトレイ７１を備えるカートリッジ７０に収納されていてもよい。
【０１７４】
カートリッジ７０の中に複数のトレイ７１が、ガイドレール（不図示）上をスライドしてカートリッジ７０の外に引き出し可能な状態で、積層されて収納されている。各トレイ７１に対して個別にトレイＮＯ．が付与されており、それぞれ一枚の光ディスク２０が装着されている。利用者はカートリッジ７０を記録再生装置１に装填することにより、複数の光ディスク２０を一度に記録再生装置１に装着することが可能となる。
【０１７５】
カートリッジ７０は、例えば、高さ６５ｍｍ、幅１３３ｍｍ、奥行き１６１ｍｍであり、１００枚のトレイ７１を収納できるものである。
【０１７６】
記録再生装置１は、トレイ７１をカートリッジ７０から引き出すためのクランプ（不図示）を備えており、トレイ７１に設けられた開口部７２にクランプを引っ掛けて、トレイ７１を引き出す。引き出されたトレイ７１は記録再生装置１内部のガイドレール（不図示）に保持された状態で、スライドし、光ピックアップ９の上方に移動される。そして、光ピックアップ９がスピンドルモータ１０と一体的に上昇することで、光ディスク２０はスピンドルモータ１０に転載される。
【０１７７】
（光ディスク収納部および交換機構の別の変更例）
光ディスク２０は、円環状のシリンダーに放射状に配置されていてもよい。上記シリンダーにはガイド溝があり、各光ディスク２０はガイド溝により、シリンダーの底部に対して起立した状態で保持されている。各ガイド溝に対応してトレイＮＯ．が付与されている。
【０１７８】
シリンダーが記録再生装置１の内部で、その円環の中心を回転軸として回転するように、当該シリンダーにギヤを介してモーターが取り付けられており、モーターが回転することにより、シリンダーが回転するようになっている。
【０１７９】
上記モーターにはエンコーダーが取り付けられており、エンコーダーからの出力パルスをカウントすることにより、シリンダーの基準ガイド溝が、記録再生装置１の内部においてどの回転角度位置にあるのかを検出することが可能である。つまり、全てのガイド溝（またはトレイＮＯ．）の回転角度位置を検出することが可能である。
【０１８０】
記録再生装置１は、ある光ディスク２０をローディングするために、当該光ディスク２０が保持されているガイド溝（またはトレイＮＯ．）の回転角度位置と、光ピックアップ９への装填角度位置との関係から、所定の角度、シリンダーを回転させる。記録再生装置１は、光ディスク２０の回転角度位置が光ピックアップ９への装填角度位置と一致した時点で、シリンダーの回転を止め、光ディスク２０を押し出すピンにより、光ディスク２０を回転させて、シリンダーの中心部に備えられた光ピックアップユニット（記録再生部）に挿入する。光ピックアップユニットに挿入された光ディスク２０は、ストッパにより回転移動が止められ、ガイドレールにより保持される。
【０１８１】
ガイドレールが光ピックアップおよびスピンドルモータの方向に移動することにより、光ディスク２０はスピンドルモータに転載される。
【０１８２】
（その他の変更例）
本発明は上述した各実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【０１８３】
例えば、表示装置２４を記録再生装置１に組み込んで、両者を一体として形成してもよい。
【０１８４】
また、上記消去タイミングの第１〜４例を適宜組み合わせてもよい。
【０１８５】
本発明の記録装置は、複数の半導体メモリを収納する収納部と、当該複数の半導体メモリのうちの一部の半導体メモリに対して通信可能に接続することにより当該半導体メモリが有する情報を書き換える記録手段と、当該記録手段の接続対象となる半導体メモリを切り替える切替部と、上記複数の半導体メモリのいずれかに記録されている少なくとも１つの情報である消去対象情報を消去する消去指示を取得する取得手段と、上記取得手段が取得した消去指示を格納する格納部と、上記取得手段が上記消去指示を取得した時点で、当該消去指示が示す消去対象情報が記録された半導体メモリが上記記録手段の接続対象となっていない場合に、上記時点より後の所定のタイミングで、上記格納部に格納された消去指示が示す消去対象情報または当該消去対象情報の管理情報を消去するために上記記録手段および上記切替部を制御する制御手段とを備えていてもよい。
【０１８６】
上記の構成によれば、記録装置に複数の半導体メモリを収納することができ、収納された複数の半導体メモリの一部に対して記録手段が通信可能に接続されることにより、接続された半導体メモリに対して情報の記録および消去が行われる。
【０１８７】
切替部は、記録手段の接続対象となる半導体メモリを切り替えるが、この動作には時間がかかる可能性がある。しかし、制御手段は、消去指示を取得した時点で、当該消去指示が示す消去対象情報が記録された半導体メモリが記録手段の接続対象となっていない場合に、上記時点より後の所定のタイミングで、消去指示が示す消去対象情報または当該消去対象情報の管理情報を消去するために記録手段および切替部を制御する。
【０１８８】
それゆえ、消去指示が入力された時点で消去対象情報を消去する場合よりも、消去指示を出した利用者の待ち時間を短縮することができる。
【０１８９】
なお、上記記録手段および制御手段は、補助記憶部４に格納された制御プログラムをＣＰＵが実行することによって実現されればよい。また、切替部は、複数の半導体メモリと記録手段との間に配置された接続回路を切り替えるものであってもよいし、半導体メモリそのものを移動させて、記録手段との接続を切り替えるものであってもよい。
【０１９０】
また、上述した記録再生装置１の各ブロック、特にコントローラ５６、管理テーブル生成部５３、表示用リスト生成部５２は、ハードウェアロジックによって構成してもよいし、次のようにＣＰＵを用いてソフトウェアによって実現してもよい。
【０１９１】
すなわち、記録再生装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである記録再生装置１の制御プログラムのプログラムコード（実行形式プログラム、中間コードプログラム、ソースプログラム）をコンピュータで読み取り可能に記録した記録媒体を、上記記録再生装置１に供給し、そのコンピュータ（またはＣＰＵやＭＰＵ）が記録媒体に記録されているプログラムコードを読み出し実行することによっても、達成可能である。
【０１９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９３】
また、記録再生装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１９４】
なお、本発明は、以下のようにも表現できる。
【０１９５】
すなわち、本発明の記録再生装置は、複数の記録媒体を収納、ならびに、取出し可能であり、収納可能な最大の記録媒体の数よりも少ない、記録媒体を着脱可能な記録部を備え、前記記録媒体が記録部に装着されることにより、前記記録媒体への記録、および、再生が可能となる記録再生装置であって、記録装置には記録媒体に記録されている情報に対する再生許可、あるいは、再生非許可の情報を記録する補助記録媒体が備えられており、使用者が、記録媒体に記録されている情報の消去指示を記録再生装置に与えた際、記録再生装置は、消去指示された情報を再生非許可として補助記録媒体に記録し、以後、再生できない情報として該情報を取扱うことを特徴としている。
【０１９６】
また、上記記録再生装置に、記録再生装置に収納されている記録媒体に記録されている情報の一覧を表示させる表示装置が接続されており、前記表示装置に、記録媒体に記録されている情報の一覧が表示されており、使用者が、記録媒体に記録されている情報の消去指示を記録再生装置に与えた際、記録再生装置は、消去指示された情報を再生非許可として補助記録媒体に記録するとともに、前記情報の一覧から、消去指示された情報に対応する情報を消去することが好ましい。
【０１９７】
また、上記記録再生装置は、記録媒体への記録、あるいは、再生指示がない空き時間に、消去指示された情報が記録されている記録媒体に記録されている情報、あるいは、記録媒体に記録されている情報の管理情報を消去するとともに、補助記録媒体に記録されている、記録媒体に記録されている情報から、該当する情報を消去することが好ましい。
【０１９８】
また、上記記録再生装置には主電源（主電源スイッチ）が備えられ、主電源（主電源スイッチ）がＯＦＦの時には、使用者によりあらかじめ予約された記録、あるいは、再生を除く、記録、あるいは、再生がなされない設定であるとすると、主電源（主電源スイッチ）がＯＦＦの時に、使用者が消去指示を与えた記録媒体を、記録部に装着し、記録媒体に記録されている情報、あるいは、記録媒体に記録されている情報の管理情報を消去し、補助記録媒体に記録されている、記録媒体に記録されている情報から、該当する情報を消去することが好ましい。
【０１９９】
また、記録再生装置の補助記録媒体には、記録媒体に記録されている情報と、該情報が記録されている記録媒体の対応を示す情報が記録されており、消去指示された情報が記録されている記録媒体を記録再生装置の外に取り出す指示がなされた時に、記録媒体を記録部に装着し、記録媒体に記録されている情報、あるいは、記録媒体に記録されている情報の管理情報を消去し、補助記録媒体に記録されている、記録媒体に記録されている情報から、該当する情報を消去した後に、記録媒体を記録再生装置の外に排出することが好ましい。
【０２００】
また、上記記録再生装置は、消去指示された情報が記録されている記録媒体を記録再生装置の外に取り出す指示がなされた時に、記録媒体を記録部に装着し、記録媒体に記録されている情報、あるいは、記録媒体に記録されている情報の管理情報を消去し、補助記録媒体に記録されている、記録媒体に記録されている情報から、該当する情報を消去する際、記録媒体の排出に時間を要していることを示唆するメッセージを表示することが好ましい。
【０２０１】
また、上記記録再生装置の補助記録媒体には、記録媒体に記録されている情報と、該情報が記録されている記録媒体の対応を示す情報が記録されており、消去指示された情報が記録されている記録媒体に対して、再生、あるいは、記録の指示がなされ、記録部に記録媒体が装着された前記再生、あるいは、記録の前後に、記録媒体に記録されている情報、あるいは、記録媒体に記録されている情報の管理情報を消去するとともに、補助記録媒体に記録されている、記録媒体に記録されている情報から、該当する情報を消去することが好ましい。
【産業上の利用可能性】
【０２０２】
本発明は、収納された複数の記録媒体に記録された情報の消去を効率良く行うことができるため、複数のディスクを着脱可能に収納できるオートチェンジャ型レコーダーに適用できる。
【図面の簡単な説明】
【０２０３】
【図１】本発明の一実施の形態に係る記録再生装置の構成を示す概略図である。
【図２】上記記録再生装置が備えるターンテーブルの一部のトレイが記録再生装置の筐体から突出している状態を示す概略図である。
【図３】上記記録再生装置が備えるターンテーブルの全体が記録再生装置の筐体内に収納されている状態を示す概略図である。
【図４】上記記録再生装置が備えるターンテーブルのトレイにセッティングされた光ディスクが、記録再生対象になっている状態を示す概略図である。
【図５】（ａ）〜（ｃ）は、上記記録再生装置におけるローディング動作を説明するための概略図である。
【図６】上記記録再生装置において記録再生の対象となる光ディスクのデータ構造を示す概略図である。
【図７】（ａ）はディスク情報管理テーブルの一例を示す図であり、（ｂ）はディスク記録情報管理テーブルの一例を示す図である。
【図８】上記記録再生装置に通信可能に接続された表示装置に表示された番組リストの一例を示す概略図である。
【図９】上記記録再生装置における処理の流れの一例を示すフローチャートである。
【図１０】上記表示装置に表示された、消去対象番組を選択する画面の一例を示す図である。
【図１１】（ａ）は記録残容量が更新されたディスク情報管理テーブルの一例を示す図であり、（ｂ）は消去対象設定情報が記録されたディスク記録情報管理テーブルの一例を示す図である。
【図１２】更新された番組リストの一例を示す概略図である。
【図１３】（ａ）は記録残容量が更新されたディスク情報管理テーブルを示す図であり、（ｂ）は消去対象情報の管理情報が削除されたディスク記録情報管理テーブルを示す図である。
【図１４】消去対象情報のファイル管理情報を消去する処理の一例を示すフローチャートである。
【図１５】消去対象情報のファイル管理情報を消去する処理の別の例を示すフローチャートである。
【図１６】消去対象情報のファイル管理情報を消去する処理のさらに別の例を示すフローチャートである。
【図１７】光ディスクを収納する収納部の変更例を示す図である。
【符号の説明】
【０２０４】
１    記録再生装置（記録装置）
４    補助記憶部（格納部）
７    主電源
８    記録再生部（記録部、再生部）
９    光ピックアップ（記録部、再生部）
１１    位置調節部（変更部）
１２    ターンテーブル（収納部）
１３    ターンテーブル移動部（変更部）
２０    光ディスク（記録媒体）
２４    表示装置
４４    表示用リスト
５４    表示制御部（表示制御手段）
５５    受信信号解析部（取得手段）
５６    コントローラ（制御手段）
２２１  ファイル管理情報（管理情報）
【図１】
2010152990.tif 000003
【図２】
2010152990.tif 000004
【図３】
2010152990.tif 000005
【図４】
2010152990.tif 000006
【図５】
2010152990.tif 000007
【図６】
2010152990.tif 000008
【図７】
2010152990.tif 000009
【図８】
2010152990.tif 000010
【図９】
2010152990.tif 000011
【図１０】
2010152990.tif 000012
【図１１】
2010152990.tif 000013
【図１２】
2010152990.tif 000014
【図１３】
2010152990.tif 000015
【図１４】
2010152990.tif 000016
【図１５】
2010152990.tif 000017
【図１６】
2010152990.tif 000018
【図１７】
2010152990.tif 000019